(57)【要約】【課題】乗りかごに設けられる筋交いの下端部にロープ類やケーブル類が引っ掛かる可能性をなくすようにする。【解決手段】筋交い棒１８の下端部は、かご床枠２４から下に突き出る部分がないようにかご床枠２４に固定され、ロープ類またはケーブル類の引っ掛かりから筋交い棒１８の下端部を保護する防護部をかご床枠２４が兼ねるようになっている。【選択図】図１
2017114600.tif 000002
【特許請求の範囲】
【請求項１】
縦枠と下梁および上梁からなるかご枠によって、かご室が支持され、かご室の外面に斜めに設けられ、一端部が前記縦枠に固定され、下端部が前記かご室のかご床枠に固定された筋交い棒を有するエレベータの乗りかごにおいて、
前記筋交い棒の下端部は、前記かご床枠から下に突き出る部分がないように当該かご床枠に固定され、ロープ類またはケーブル類の引っ掛かりから前記筋交い棒の下端部を保護する防護部を前記かご床枠が兼ねることを特徴とするエレベータの乗りかご。
【請求項２】
前記かご床枠は、上側のフランジに前記筋交い棒の下端部を取り付けるための穴が形成されたＣ型の型材からなり、このかご床枠をその断面のコの字が前記かご室側を向いた姿勢で取り付け、前記かご床枠のウェブの内側面に、前記筋交い棒の下端部を固定する固定部材を固定し、前記かご床枠の前記ウェブを前記防護部としたことを特徴とする請求項１に記載のエレベータの乗りかご。
【請求項３】
前記かご床枠は、上側フランジに前記筋交い棒の下端部を取り付けるための穴が形成されたＣ型の型材からなり、このかご床枠をその断面のコの字が前記かご室の外側を向いた姿勢で取り付け、前記かご床枠のウェブの内側面に、前記筋交い棒の下端部を固定する固定部材を固定し、前記かご床枠の前記上側フランジと下側フランジを前記防護部としたことを特徴とする請求項１に記載のエレベータの乗りかご。
【請求項４】
前記かご床枠は、上側フランジに前記筋交い棒の下端部を取り付けるための穴が形成されたＺ型の型材からなり、前記上側フランジが前記かご室の外側を向くように前記かご床枠を取り付け、前記かご床枠のウェブの外側面に、前記筋交い棒の下端部を固定する固定部材を固定し、前記かご床枠の前記上側フランジを前記防護部としたことを特徴とする請求項１に記載のエレベータの乗りかご。
【請求項５】
前記かご床枠は、上段のかご床枠と、前記上段のかご床の端部で直角に交差する下段のかご床と、からなり、前記下段のかご床枠は、前記上段のかご床枠との交差部において、前記上段のかご床枠の側面から突き出た突出端部を有し、前記端部に前記筋交い棒の下端部を固定する固定部材を固定し、前記突出端部の端面を前記防護部としたことを特徴とする請求項１に記載のエレベータの乗りかご。
【請求項６】
前記下段のかご床枠の前記突出端部には、ロープ類またはケーブル類が前記突出端部に引っ掛かることを防ぐガード部材が取り付けられたことを特徴とする請求項５に記載のエレベータの乗りかご。
【発明の詳細な説明】
【技術分野】
【０００１】
本発明の実施形態は、かご室外面に筋交い棒が設けられているエレベータの乗りかごに関する。
【背景技術】
【０００２】
地震や強風が発生したときには、建造物に大きな揺れが生じることがある。特に、長周期地震動が発生した場合には、共振による建造物の揺れは甚だしくなる。建造物内のエレベータ昇降路では、ガバナロープなどのロープ類や、テールコードなどのケーブル類が大きく揺れることになる。  
最悪の場合には、ロープ類やケーブル類が昇降路に設置されている機器や構造物に引っ掛かってこれらを破損させたり、ガバナ装置が機能しなくなることがあった。このため、昇降路には従来からロープ類の振止が設けられているほか、近年では、ロープ類の回り込みを防ぐ横プロテクタを設けることが耐震基準に規定されている。
【０００３】
以上述べたのは、昇降路でのロープ類の引っ掛かり防止対策であるが、乗りかごについても、ロープ類の引っ掛かりは同様に問題となる。とりわけ、乗りかごの場合、かごの外側には、筋交いと呼ばれる補強部材が取り付けられている。この筋交いの下端部は、床枠から下に突き出る構造になっていることが多く、大きく振れたロープ類がこの突き出た部分に引っ掛かる可能性がある。
【０００４】
従来、このような筋交いに対する引っ掛かり防止対策として、例えば、特許文献１では、筋交いの下端部を覆うカバーを取り付けることが提案されている。
【先行技術文献】
【特許文献】
【０００５】
【特許文献１】特開２００９−１２９４４号公報
【発明の概要】
【発明が解決しようとする課題】
【０００６】
しかしながら、引っ掛かり防止対策として、筋交いを覆うカバーを取り付ける場合、専用のカバーを製作し、それを筋交いの下端部に取り付けるなど手間がかかる。その上、取り付けた後のカバー自体にロープ類が引っ掛かる可能性があった。
【０００７】
本発明は、前記従来技術の有する問題点に鑑みなされたものであって、筋交いの下端部にロープ類やケーブル類が引っ掛かる可能性をなくしたエレベータの乗りかごを提供することを目的としている。
【課題を解決するための手段】
【０００８】
前記の目的を達成するために、本発明の実施形態によるエレベータの乗りかごは、縦枠と下梁および上梁からなるかご枠によって、かご室が支持され、かご室の外面に斜めに設けられ、一端部が前記縦枠に固定され、下端部が前記かご室のかご床枠に固定された筋交い棒を有するエレベータの乗りかごにおいて、前記筋交い棒の下端部は、前記かご床枠から下に突き出る部分がないように当該かご床枠に固定され、ロープ類またはケーブル類の引っ掛かりから前記筋交い棒の下端部を保護する防護部を前記かご床枠が兼ねることを特徴とするものである。
【図面の簡単な説明】
【０００９】
【図１】本発明の第１実施形態によるエレベータの乗りかごを示す側面図である。
【図２】図１のエレベータの乗りかごに設けられた筋交い棒の固定構造の分解斜視図である。
【図３】図５の筋交いの固定構造の側面図である。
【図４】本発明の第２実施形態による筋交い棒の固定構造を示す斜視図である。
【図５】本発明の第３実施形態による筋交い棒の固定構造を示す斜視図である。
【図６】本発明の第４実施形態による筋交い棒の固定構造を示す斜視図である。
【図７】本発明の第４実施形態による筋交い棒の固定構造の変形例を示す斜視図である。
【発明を実施するための最良の形態】
【００１０】
以下、本発明によるエレベータの乗りかごの実施形態について、添付の図面を参照しながら説明する。  
（第１実施形態）  
図１は、本発明の第１実施形態に係るエレベータの乗りかごを示す。図１において、参照番号１０は、エレベータの乗りかごを示している。この乗りかご１０では、縦枠１２と、縦枠１２の下端に取り付けられた下梁１３と、縦枠１２の上端に取り付けられた上梁１４と、からなるかご枠構造によって、かご室１１が支持されている。参照番号１５は、かごドアを示している。参照番号１６は、かご室１１のかご床を示している。かご床１６を支える枠構造は、下段のかご床枠２３と、上段のかご床枠２４と、によって構成されている。
【００１１】
このような乗りかご１０では、縦枠１２に対してかご床枠２３、２４が水平に保持されるように、次のような筋交い棒１７、１８が取り付けられている。このうち、筋交い棒１７は、かごドア１５側に配置されている筋交い棒である。この筋交い棒１７と、ガバナロープなどのロープ類あるいはテールコードなどのケーブル類の配置と、の位置関係をみると、筋交い棒１７は、ロープ類やケーブル類が引っ掛かる可能性のある位置には配置されていない。図１に示されるように、筋交い棒１７の上端部は、縦枠１２にブラケット１９ａを介して固定されている。筋交い棒１７の下端部は、上段のかご床枠２４に固定され、筋交い棒１７は、斜めの姿勢で取り付けられている。
【００１２】
これに対して、かごドア１５から離れた位置に配置されている筋交い棒１８の方は、近くにガバナロープやテールコードがあり、これらが大きく振れると、筋交い棒１８に引っ掛かる可能性が高い。  
この筋交い棒１８の上端部は、縦枠１２にブラケット１９ｂを介して固定されている。筋交い棒１８の下端部は、ロープ類やケーブル類が引っ掛からないように、図２、図３に示すような固定構造が採用され、上段のかご床枠２４に固定されている。
【００１３】
ここで、図２は、筋交い棒１８の下端部の固定構造を構成する要素を分解して表した斜視図である。図３は、図２の固定構造の側面を示す図である。  
下段のかご床枠２３と、上段のかご床枠２４は、ともにＣ型の形鋼（型材）が用いられている。かご床枠２３と、かご床枠２４は、直交する方向に延び、それぞれ端部が重なり合うようになっている。
【００１４】
筋交い棒１８の下端部には、雄ねじ２０が軸方向に固着されている。この雄ねじ２０は、円筒状の固定スリーブ（固定部材）２１に挿通される。図２に示されるように、かご床枠２４は、上下のフランジ２４ａ、２４ｂとウェブ２４ｃとから横断面がコ字形の形状に構成されている。かご床枠２４は、コの字がかご室１１側に向いた姿勢で固定されている。
【００１５】
かご床枠２４の上側のフランジ２４ａには、筋交い棒１８の固定のために穴２６が形成されている。図３に示されるように、固定スリーブ２１は、この穴２６から挿入されて、ウェブ２４ｃの内側面に溶接などによって固定されている。
【００１６】
固定スリーブ２１を貫通した雄ねじ２０の先端には、２個のナット２２が締着され、これによって、筋交い棒１８の下端部はかご床枠２４にしっかりと固定されるようになっている。
【００１７】
本実施形態は、以上のように構成されるものであり、次に、筋交い棒１８の固定構造が有する引っ掛かり防止機能との関連においてその作用並びに効果について説明する。  
図１において、本実施形態では、筋交い棒１７、１８のうち、かごドア１５に近い位置にある筋交い棒１７の下端部は、かご床枠２４から下に突き出るように取り付けられている。従来の筋交い棒は、このように固定されているのが一般的であり、ロープ類やケーブル類が大きく振れると、筋交い棒１７の突き出た下端部に引っ掛かる可能性が大きかった。もっとも、この筋交い棒１７の場合は、その近くには、ロープ類やケーブル類が配置されていないので、引っ掛かることはない。
【００１８】
他方、かごドア１５から離れた位置に配置されている筋交い棒１８の方は、近くにガバナロープやテールコードがある。もし仮に、筋交い棒１８が筋交い棒１７と同じように、かご床枠２４から下に突き出るように取り付けられていると、ガバナロープやテールコードが引っ掛かる可能性が大きい。
【００１９】
そこで、本実施形態では、図１乃至図３に示されるように、筋交い棒１８の下端部は、かご床枠２４のウェブ２４ｃの内側面に取り付けられた固定スリーブ２１に固定されている。かご床枠２４は、かご室１１側に向かってコ字形をなすように取り付けられており、筋交い棒１８の下端部がかご床枠２４から下に突出しない構造になっている。しかも、筋交い棒１８の下端部は、かご床枠２４の内側で、フランジ２４ａ、２４ｂ、ウェブ２４ｃによって囲まれて固定がなされているので、ウェブ２４ｃが防護部として、いわば、かご床枠２４そのものが引っ掛かり防止の防護カバーとして機能するようになっている。
【００２０】
以上のように、本実施形態によれば、筋交い棒１８の下端部がかご床枠２４から下に突き出た部分をなくすことができるので、ガバナロープやテールコードなどのロープ類、ケーブル類が引っ掛かることを確実に防止することができる。
【００２１】
（第２実施形態）
次に、本発明の第２実施形態に係るエレベータの乗りかごについて、図４を参照して説明する。なお、第１実施形態の図２と同一の構成要素には同一の参照番号を付してその詳細な説明は省略する。  
上述した第１実施形態では、筋交い棒１８の下端部が固定されるかご床枠２４は、コの字がかご室１１側に向いた姿勢で固定されている。これに対して、第２実施経形態では、上段のかご床枠３０は、第１実施形態とは逆向きにコの字がかご室１１の外側に向いた姿勢で固定されている。
【００２２】
図４に示されるように、かご床枠３０の上側のフランジ３０ａには、筋交い棒１８の固定のために穴３１が形成されている。固定スリーブ２１は、この穴３１から挿入されてウェブ３０ｃの内側面に溶接などによって固定されている。この構造は、第１実施形態と同様である。固定スリーブ２１を挿通した雄ねじ２０の先端には２個のナット２２が締着され、これによって、筋交い棒１８の下端部はかご床枠３０にしっかりと固定されるようになっている。
【００２３】
以上のような第２実施形態によれば、筋交い棒１８の下端部は、かご床枠３０から下に突出しない構造になっている。しかも、筋交い棒１８の下端部は、かご床枠３０のフランジ３０ａ、３０ｂ、ウェブ３０ｃによって囲まれて固定がなされており、フランジ３０ａ、３０ｂが引っ掛かりから守る防護部となっており、第１実施形態と同様に、ガバナロープやテールコードなどのロープ類、ケーブル類が引っ掛かることを確実に防止することができる。
【００２４】
また、第２実施形態では、筋交い棒１８の下端部を固定する固定スリーブ２１は外側から見えるようになっていて視認性が良いことから、筋交い棒１８を作業性良く取り付けられる利点がある。
【００２５】
（第３実施形態）
次に、本発明の第３実施形態に係るエレベータの乗りかごについて、図５を参照して説明する。なお、第１実施形態の図２と同一の構成要素には同一の参照番号を付してその詳細な説明は省略する。  
上述した第１実施形態と第２実施形態では、筋交い棒１８の下端部が固定されるかご床枠２４、３０には、横断面がコ字形のＣ形鋼が用いられていたが、この第３実施形態では、かご床枠４０に横断面がＺ字形のＺ形鋼を用いた実施の形態である。
【００２６】
図５に示されるように、かご床枠４０の上側のフランジ４０ａは、かご室１１の外側に突き出ており、このフランジ４０ａには、筋交い棒１８の固定のために穴４１が形成されている。固定スリーブ２１は、この穴４１に通されてウェブ４０ｃの内側面に溶接などによって固定されている。固定スリーブ２１を挿通した雄ねじ２０の先端には２個のナット２２が締着され、これによって、筋交い棒１８の下端部はかご床枠４０にしっかりと固定されるようになっている。
【００２７】
以上のような第３実施形態によれば、筋交い棒１８の下端部は、かご床枠４０から下に突出しない構造になっていることは第１実施形態、第２実施形態と同様である。  
しかも、かご床枠４０の上側のフランジ４０ａが、筋交い棒１８の下端部を引っ掛かりから守る防護部となっており、ガバナロープやテールコードなどのロープ類、ケーブル類が引っ掛かることを確実に防止することができる。
【００２８】
また、第３実施形態では、第２実施形態と同様に、筋交い棒１８の下端部を固定する固定スリーブ２１は外側から見えるようになっていて視認性が良いことから、筋交い棒１８を作業性良く取り付けることができる。
【００２９】
（第４実施形態）
次に、本発明の第４実施形態に係るエレベータの乗りかごについて、図６、図７を参照して説明する。  
上述した第１実施形態では、筋交い棒１８の下端部は、上段のかご床枠２４に固定されていたが、この第４実施形態は、下段のかご床枠２３に固定するようにした実施の形態である。下段のかご床枠２３は、断面のコの字が下を向く姿勢で固定されている。
【００３０】
図５に示されるように、下段のかご床枠２３の端部は、上段のかご床枠５０の側面を形成しているウェブ５０ｃの外側表面から突き出るように取り付けられている。そして下段のかご床枠２３のウェブ２３ｃには、筋交い棒１８の固定のために穴５２が形成されている。固定スリーブ２１の先端は、この穴５２に通されて上段のかご床枠５０のウェブ５０ｃの内側面に溶接などによって固定されている。雄ねじ２０の先端は、かご床枠２３の内部から外側に出ないように、固定スリーブ２１に挿通され、２個のナット２２が締着されている。これによって、筋交い棒１８の下端部はかご床枠２３、５０にしっかりと固定されるようになっている。  
以上のような第４実施形態によれば、筋交い棒１８の下端部は、下段のかご床枠２３から下に突出しない構造になっている。しかも、上段のかご床枠５０から突き出ている下段のかご床枠２３の端部（突出端部）が、筋交い棒１８の下端部を引っ掛かりから守る防護部となっており、ガバナロープやテールコードなどのロープ類、ケーブル類が引っ掛かることを確実に防止することができる。
【００３１】
なお、第４実施形態の場合、ガバナロープやテールコードは、筋交い棒１８の下端には引っ掛からなくなっているが、下段のかご枠２３の突き出た端部の角部に引っ掛かる可能性が無いとはいえない。
【００３２】
そこで、図７に示されるように、一端が上段のかご床枠５０に固定され、他端が下段のかご枠２３の突き出た部分に固定されるようにして、斜めに取り付けられているガード部材６０をかご床枠２３の両側に取り付けるようにしてもよい。このガード部材６０によって、ガバナロープやテールコードなどのロープ類、ケーブル類がかご床枠２３の突き出た角部に引っ掛かるのを確実に防止することができる。このガード部材６０は、針金や番線のようなもので代用してもよい。
【００３３】
以上、本発明に係るエレベータの乗りかごについて、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００３４】
１０…乗りかご、１１…かご室、１２…縦枠、１３…下枠、１４…上枠、１５…かごドア、１６…かご床、１７…筋交い棒、１８…筋交い棒、２３…下段のかご床枠、２４…上段のかご床枠、２４ａ、２４ｂ…フランジ、２４ｃ…ウェブ、２６…穴、３０…かご床枠、４０…かご床枠
【図１】
2017114600.tif 000003
【図２】
2017114600.tif 000004
【図３】
2017114600.tif 000005
【図４】
2017114600.tif 000006
【図５】
2017114600.tif 000007
【図６】
2017114600.tif 000008
【図７】
2017114600.tif 000009
【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
縦枠と下梁および上梁からなるかご枠によって、かご室が支持され、かご室の外面に斜めに設けられ、一端部が前記縦枠に固定され、下端部が前記かご室のかご床枠に固定された筋交い棒を有するエレベータの乗りかごにおいて、
前記筋交い棒の下端部は、前記かご床枠から下に突き出る部分がないように当該かご床枠に固定され、ロープ類またはケーブル類の引っ掛かりから前記筋交い棒の下端部を保護する防護部を前記かご床枠が兼ねており、
前記かご床枠は、上側フランジに前記筋交い棒の下端部を取り付けるための穴が形成されたＣ型の型材からなり、このかご床枠をそのコの字の断面の開口部が前記かご室側を向いた姿勢で取り付け、前記かご床枠のウェブの内側面に、前記筋交い棒の下端部を固定する固定部材を固定し、前記かご床枠の前記ウェブを前記防護部としたことを特徴とするエレベータの乗りかご。
【請求項２】
縦枠と下梁および上梁からなるかご枠によって、かご室が支持され、かご室の外面に斜めに設けられ、一端部が前記縦枠に固定され、下端部が前記かご室のかご床枠に固定された筋交い棒を有するエレベータの乗りかごにおいて、
前記筋交い棒の下端部は、前記かご床枠から下に突き出る部分がないように当該かご床枠に固定され、ロープ類またはケーブル類の引っ掛かりから前記筋交い棒の下端部を保護する防護部を前記かご床枠が兼ねており、
前記かご床枠は、上側フランジに前記筋交い棒の下端部を取り付けるための穴が形成されたＣ型の型材からなり、このかご床枠をそのコの字の断面の開口部が前記かご室の外側を向いた姿勢で取り付け、前記かご床枠のウェブの内側面に、前記筋交い棒の下端部を固定する固定部材を固定し、前記かご床枠の前記上側フランジと下側フランジを前記防護部としたことを特徴とするエレベータの乗りかご。
【請求項３】
縦枠と下梁および上梁からなるかご枠によって、かご室が支持され、かご室の外面に斜めに設けられ、一端部が前記縦枠に固定され、下端部が前記かご室のかご床枠に固定された筋交い棒を有するエレベータの乗りかごにおいて、
前記筋交い棒の下端部は、前記かご床枠から下に突き出る部分がないように当該かご床枠に固定され、ロープ類またはケーブル類の引っ掛かりから前記筋交い棒の下端部を保護する防護部を前記かご床枠が兼ねており、
前記かご床枠は、上側フランジに前記筋交い棒の下端部を取り付けるための穴が形成されたＺ型の型材からなり、前記上側フランジのウェブとは反対側の縁部が前記かご室の外側を向くように前記かご床枠を取り付け、前記かご床枠の前記ウェブの外側面に、前記筋交い棒の下端部を固定する固定部材を固定し、前記かご床枠の前記上側フランジを前記防護部としたことを特徴とするエレベータの乗りかご。
【請求項４】
縦枠と下梁および上梁からなるかご枠によって、かご室が支持され、かご室の外面に斜めに設けられ、一端部が前記縦枠に固定され、下端部が前記かご室のかご床枠に固定された筋交い棒を有するエレベータの乗りかごにおいて、
前記筋交い棒の下端部は、前記かご床枠から下に突き出る部分がないように当該かご床枠に固定され、ロープ類またはケーブル類の引っ掛かりから前記筋交い棒の下端部を保護する防護部を前記かご床枠が兼ねており、
前記かご床枠は、上段のかご床枠と、前記上段のかご床の端部で直角に交差する下段のかご床と、からなり、前記下段のかご床枠は、前記上段のかご床枠との交差部において、前記上段のかご床枠の側面から突き出た突出端部を有し、前記端部に前記筋交い棒の下端部を固定する固定部材を固定し、前記突出端部の端面を前記防護部とし、
前記下段のかご床枠の前記突出端部には、ロープ類またはケーブル類が前記突出端部に引っ掛かることを防ぐガード部材が取り付けられたことを特徴とするエレベータの乗りかご。